(57)【要約】【課題】  表面材が自然石などの薄片からなる表面材とハニカムコアおよび電熱材からなる暖房用パネル部材を、外観が美麗で、軽量で、熱効率が良くかつ安価に製作できるように改良する。【解決手段】ハニカムコア１１のハニカム部に直径５ｍｍ以下の貫通穴４を開け、その穴４に絶縁材で被覆した電熱線５を通して発熱パネルを使用し、その表面に、美麗である自然石などの薄片１２を貼りつけた暖房用部材を作成し、従来の暖房用部材に比べて、美麗で薄く軽量でかつ熱効率を高めた暖房用パネル部材を提供する。【選択図】            図１
2006052929.tif 000002
【特許請求の範囲】
【請求項１】
表面材、ハニカムコアおよび発熱体で構成する暖房用の部材であって、ハニカムコアのハニカム壁を貫通する穴を加工し、その穴に絶縁材で被覆した電熱線を配線する構造とした、薄型、軽量で、暖房エネルギーを少なく出来る、かつ施工が容易な暖房用ハニカムコアパネル部材。
【請求項２】
前記暖房用部材の表面材として天然石、人工石、ガラス、タイルの薄片を使用した暖房用ハニカムコアパネル部材
【請求項３】
前記暖房用ハニカムコアパネル部材を使用した暖房壁材、暖房パーテーション、パネルヒーターおよび園芸用ヒーター。
【発明の詳細な説明】
【技術分野】
【０００１】本発明は、壁、パネル等に使用するハニカム構造をもったパネル部材（ハニカムコア部材という）の改良に関するが、詳しくはハニカムコアのハニカム壁に貫通する穴を開け、その中に絶縁材を被覆した電熱線を配線した構造のパネル部材であって、表面材として天然石、人工石、ガラス、タイルの薄片を貼りつけた、暖房壁材、パーテーション、パネルヒーターおよび園芸用ヒーターに使用する目的の、軽量、薄型、省エネルギーが達成でき、さらに施工が容易な暖房用ハニカムコア部材に関するものである。
【背景技術】
【０００２】従来からアルミニュウム製ハニカムコアは強度があり、かつ断熱性があるので、暖房のパネル材として使用されている。現在、最も多く使用されている構造を図８、図９、図１０に図示する。【０００３】図８はハニカムコア材１１の裏面すなわち表面材１２の反対側に電熱式暖房シート（電熱面状ヒーター、フイルムヒーター）３１を、接着剤３２を用いて接着している構造である。【０００４】ハニカムコア材１１は熱伝導性が悪いので、電熱式暖房シート３１と表面材１２までの熱伝導距離が長い図８の従来式では、熱効率が悪く、暖まるまでの時間がかかっている。また、電熱発熱線３３は電熱式発熱シートのハニカムコア側に配線しているが絶縁体が熱伝導を阻害しているため、熱効率が悪く、暖まるまでの時間がかかっている。【０００５】図９はハニカムコア材１１の表面側すなわちハニカムコア材と表面材の間に電熱式暖房シート（電熱面状ヒーター、フイルムヒーター）３１を、接着剤３２を用いて接着している構造である。【０００６】電熱式暖房シートは発熱線をゴム、ビニール等の樹脂でシート状に覆ったもので、柔軟性があり、樹脂シートと同様に自由に変形することができるが、例えば天然石薄片、タイルガラスなどの脆い表面材を貼りつけると、表面材が割れるため、表面材に軟らかいクロスなどしか使えない。脆い表面材の場合は図８の構造しか使えない。【０００７】図１０は暖房ヒーターとして両面を使用しようとするもので、ハニカムコア材１１の中央に電熱式暖房シート（電熱面状ヒーター、フイルムヒーター）３１を、接着剤３２を用いて接着し、それぞれのヒーター反対側に表面材を貼りつけている。【０００８】石などの脆い表面材を貼るためにハニカムコア材１１を２枚使っており、厚く、かつ重たい。【０００９】さらに、ハニカムコアを使用した暖房用パネルには電熱の他に温水、熱媒体を用いた暖房パネルがある。いずれも液体を循環して暖房するものであるが、温水設備又は熱交換設備、送液設備、配管が必要であり費用がかさむ。さらに、また配管が太いために、ハニカムコアを成型して埋め込むなど施工が困難である。このため、配管部のハニカムコアを切り取り加工する、又は配管部をプレス加工している。この加工部分は強度が低下しハニカムコアを使用する目的が無くなる。【００１０】なお、本願発明に関連する公知技術として次の特許文献を挙げることができる。【００１１】
【特許文献１】  特開平０４−２６０７３０号公報
【特許文献２】  特開平０７−３２５１８号公報
【特許文献３】  特開平０７−３３２６９２号公報
【特許文献４】  特開２００３−１７６９２３号公報
【特許文献５】  特開平０５−９４６１７号公報
【発明の開示】
【発明が解決しようとする課題】
【００１２】従来技術に係るハニカムコア暖房のかかる問題を解決しようとする課題を有する、すなわち、本発明は暖房壁材、パーテーション、パネルヒーターおよび園芸用ヒーターに使用する、暖房用パネルにおいて表面に美麗であるが脆い天然石、人工石、ガラス、タイルの薄片を表面材とした、施工の簡易、施工費用の安価及び迅速な温度上昇を得ようとするところに課題の解決がある。
【課題が解決するための手段】
【００１３】本発明は、上記のごとき問題を解決するために開発したものであって、暖房用の電熱シートを用いることなく、面状のヒーターを得るものである。すなわち、ハニカムコア本体にハニカムコアのハニカム壁に貫通する直径５ｍｍ以下の小さな穴を開け、その穴に絶縁材で被覆した電熱線（シーズヒーター、コード状ヒーターなど）を埋め込んだ構造とした。
【００１４】このため、パネルの表面に美麗な天然石、人工石、ガラス及びまたはタイルの薄片の硬くて脆い表面材を薄く加工し、貼り付けることができる。
【発明の効果】
【００１５】本発明は、ハニカムコアの内部に穴を開け、その穴に電熱線を通すものであるから、従来の発熱シートを使用した構造より軽く、薄くできる。ハニカムコア表面に天然石、人工石、ガラス、タイルの硬くて脆い薄片を直接貼りつけることにより、これら表面材を損なうことが無い。また、使用する表面材に近い為に、従来の壁暖房より、効率的な暖房を提供することができる。
【００１６】さらに、両面に表面材を貼りつけることができるので、両面使用のパーテーション、パネルヒーターおよび園芸用ヒーターにおいて、軽量で薄型のヒーターが提供できる。
【発明を実施するための最良の形態】
【００１７】以下、本発明の実施の形態を図面に基づき詳細に説明する。【００１８】図２はハニカム構造図であるが、ハニカム１はアルミニュウムを蜂の巣状に加工したもので、少ない材料で強度のある構造材が製作できる。また、ハニカム構造は中空なので熱伝導は良くない。【００１９】図３はハニカムコア１１の構造図であるが、ハニカム１にアルミニュウム製の片面板２及び反対面板３を取りつけ、横方向の変形を防止する構造となっており、床材に広く使用されている。本発明は本ハニカムコアを改良し、熱効率の良い床暖房部材としたものである。【００２０】  図４、図５は本発明の実施の形態に係り、図４は本発明の暖房用ハニカムコア床部材概要図であり、図５はハニカム部の斜頚図である。図４，図５に示すように、ハニカム構造１の壁面１０に直角に穴４を貫通させる。穴の加工位置は壁面１０の中なら何処でも良いが、平面の上下、左右の中心が強度的に好ましい。【００２１】図５に細部の構造を示すが、加工した穴４に抵抗線７を絶縁材８で被覆した電熱線５を通す。電熱線５はハニカムによる損傷を防ぐため、ステンレス網パイプ、アルミニュウムパイプなどの保護皮膜９を被覆するのが望ましいが無くても使用上問題ない。【００２２】ハニカムコアに穴を開けるとハニカムコアの強度が低下する。しかし、直径５ｍｍ以下の場合は強度低下が少なく、使用上問題がないので、貫通する穴４は直径５ｍｍ以下とした。【００２３】図４は被覆電熱線を配線した状況を示す、すべての電熱線５をハニカムコア内に配線し、端子６がハニカムコアの外にでている。端子６を制御器２５に接続し、電子式制御機器で入力電力を制御し、床暖房温度を制御する。過熱防止のため配線途中にサーモスタットを取りつける、火事防止のため温度ヒューズを取りつける、さらに感電防止のためハニカムコアから直接接地するなどの安全対策を取るのは当然である。また、温度制御を入力制御ではなく、温度計検出端をハニカムコア内に設置して行うことも可能である。【００２４】図１は暖房用ハニカムコアパネル部材であり、ハニカムコアの上表面に天然石、人工石、ガラス、タイルの硬質で脆い表面材１２を貼り付けた暖房用パネル部材である。用途に応じた表面材１２を使用することによって、快適な住空間が形成する。【００２５】本発明の暖房用ハニカムコアパネル部材は室内装飾を考慮した暖房壁材、暖房パーテーション、パネルヒーターおよび園芸用ヒーターに使用する。
【実施例】
【００２６】図６は洋室の壁の一部を暖炉風に装飾した、本発明の暖房用ハニカムコアパネル部材を施工した実施例である。表層材に厚さ１０ｍｍの大理石天然石薄片を、電熱線を組み込んだハニカムコアに貼り付け施工したものである。暖房用ハニカムコアパネル以外の壁はハニカムコアの表面に壁紙を貼りつけている。【００２７】図７は両面にガラス薄板をステンドグラス風に張ったパネルヒーターである。赤外線を多く発生するガラスを貼りつけると暖房効果が上がる。【００２８】温室用のヒーターとして、表面材に多孔質の燒結人工石を貼り付け、水を流すことにより、苔を生育する、また温室内湿度を上昇することができる。
【図面の簡単な説明】
【図１】  本発明の暖房用ハニカムコアパネル部材概要図
【図２】  ハニカム構造図
【図３】  ハニカムコア構造図
【図４】  本発明のハニカムコア部概要図
【図５】  ハニカム斜頚図
【図６】  本発明による洋室の暖房実施例
【図７】  本発明によるパネルヒーター実施例
【図８】  従来のハニカムコアを用いた暖房用パネル材の概要図（例１）
【図９】  従来のハニカムコアを用いた暖房用パネル材の概要図（例２）
【図１０】  従来のハニカムコアを用いた暖房用パネル材の概要図（例３）
【符号の説明】
１    ハニカム
２    片面板
３    反対面板
４    穴
５    絶縁材で被覆した電熱線
６    端子
７    電気抵抗線（電熱線素線）
８    絶縁材
９    ステンレス網などの保護皮膜
１１    ハニカムコア
１２    表面材
２１    本発明のヒーター入りハニカムコア発熱体
２２    大理石薄片
２３    ハニカムコア
２４    壁紙
２５    断熱材
２６    ガラス
２７    配線保護および飾り枠
２８    転倒防止足
３１    電熱式発熱シート
３３    電熱線
【図１】
2006052929.tif 000003
【図２】
2006052929.tif 000004
【図３】
2006052929.tif 000005
【図４】
2006052929.tif 000006
【図５】
2006052929.tif 000007
【図６】
2006052929.tif 000008
【図７】
2006052929.tif 000009
【図８】
2006052929.tif 000010
【図９】
2006052929.tif 000011
【図１０】
2006052929.tif 000012